(57)【要約】    【課題】  画像自体への日付情報の合成写し込みの有無にかかわらず、所望に応じて日付情報を撮影画像と共にプリントすることを可能とし、操作を簡単にする。    【解決手段】  ディジタルカメラ１の制御部１０は、外部記憶装置２１、撮像部２２、表示部２３、操作部２４および撮像部２２による撮像時に、外部記憶装置２１に格納される画像データに日付情報を合成して日付入り画像データとする日付写し込み手段、外部記憶装置２１に格納された画像データからプリント画像データを選択するプリントデータ選択手段、日付入り画像判別手段および日付入り画像データであると判別された場合に、当該画像データの通信データに日付情報を含ませない通信制御手段の各機能実現手段を含む。プリンタ２は、ディジタルカメラ１から通信されるプリント画像データに日付情報が含まれていない場合には日付情報を合成せずにプリントする。【選択図】    図１
2005151521.tif 000002
【特許請求の範囲】
【請求項１】
被写体の光学像を取得し電気信号に変換して画像データを生成する撮像手段と、
前記撮像手段により撮像生成された１つ以上の前記画像データを記録する記録手段と、
前記記録手段に記録された前記画像データを表示する表示手段と、
現在の日付および時間を取得し日付情報を含む計時情報を生成する時計機能手段と、
前記撮像手段による撮像時に、前記記録手段に記録される被写体像の前記画像データに前記時計機能手段により生成された日付情報を合成して日付入り画像データとする日付写し込み手段と、
前記記録手段に記録された前記画像データから、プリント装置によりプリントさせるべきプリント画像データを選択するプリントデータ選択手段と、
前記プリントデータ選択手段により選択された前記プリント画像データの前記プリント装置へのデータ通信を行う通信手段と、
前記プリントデータ選択手段により選択されたプリント画像データが前記日付入り画像データであるか否かを判別する日付入り画像判別手段と、
前記日付入り画像判別手段によって、前記プリント画像データが、前記日付入り画像データであると判別された場合には、前記通信手段による当該画像データに係る通信データに日付情報を含ませない通信制御手段と
を具備することを特徴とする撮影装置。
【請求項２】
前記プリントデータ選択手段は、前記記録手段に記録された複数の前記画像データから、複数のプリント画像データを選択する手段を含み、且つ
前記日付入り画像判別手段は、前記プリントデータ選択手段により選択された複数のプリント画像データについて個々に前記日付入り画像データであるか否かを判別する手段を含む
ことを特徴とする請求項１に記載の撮影装置。
【請求項３】
被写体を撮像して生成される１つ以上の画像データを記録するとともに、時計機能により日付情報を含む計時情報を生成し、記録される前記画像データに所望に応じて前記日付情報を合成して日付入り画像データとする日付写し込み機能を有し、前記記録された画像データから、プリントを所望するプリント画像データを選択してプリント装置へのデータ通信を行う撮影装置であって、前記選択されたプリント画像データが前記日付入り画像データであるか否かを判別する日付入り画像判別手段および前記日付入り画像判別手段によって、前記プリント画像データが、前記日付入り画像データであると判別された場合には、前記データ通信に供される当該画像データに係る通信データに日付情報を含ませない通信制御手段を有する撮影装置と、
前記撮影装置から通信されるプリント画像データの通信データに日付情報が含まれている場合には当該画像に日付情報を合成してプリント画像データをプリントし、且つ前記プリント画像データの通信データに日付情報が含まれていない場合には当該プリント画像データをそのままプリントするプリント装置と
を具備することを特徴とする撮影プリントシステム。
【請求項４】
前記撮影装置は、記録された複数の前記画像データから、複数のプリント画像データを選択するプリントデータ選択手段を含み、且つ
前記撮影装置の前記日付入り画像判別手段は、前記プリントデータ選択手段にて選択された複数のプリント画像データについて個々に前記日付入り画像データであるか否かを判別する手段を含む
ことを特徴とする請求項３に記載の撮影プリントシステム。
【発明の詳細な説明】
【技術分野】
【０００１】
本発明は、いわゆるディジタルスティルカメラのように被写体を撮像して生成される画像データを記録する撮影装置に係り、特に、撮影した画像データを撮影装置からプリンタ等のプリント装置に直接送信してプリントを行なうことが可能な撮影装置およびそのような撮影装置を用いる撮影プリントシステムに関するものである。
【背景技術】
【０００２】
近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、記録媒体にディジタル的に記録するタイプのカメラが急速に普及しつつある。この場合、記録媒体としては、いわゆるフラッシュメモリ等の不揮発性のメモリを用いたスモールカードなどと総称されるＩＣ（集積回路）メモリカードが一般に用いられている。
このようなカメラを用いるシステムにおいて撮影画像のハードコピーを得るためには、撮影され記録された画像データをＰＣ（パーソナルコンピュータ）の記憶装置に一旦取り込み、ＰＣにおいて所望の画像データを処理してプリント画像データを生成しプリンタに送ることによってプリントするのが従来一般的であった。しかしながら、このようなシステムでは、ＰＣへの画像データの取り込みやＰＣにおける画像データの操作が煩雑であるため、ディジタルカメラ等の撮影装置において、記録された画像データからプリント画像データを生成する処理を行ない、撮影装置に直接プリンタ等のプリント装置を接続して撮影画像のプリントを行なう、いわゆるダイレクトプリントシステムが普及しつつある（例えば、特許文献１および特許文献２参照）。
【０００３】
特許文献１には、記録された複数の画像データから所望の画像を選択して、所望に応じたプリント枚数、プリント用紙サイズおよびプリント色等のような所望のプリント仕様でプリントするためのプリント画像データをプリンタに出力することのできるディジタルカメラが示されている。
また、特許文献２には、ディジタルカメラ等の画像入力装置、つまり撮影装置、に入力された画像だけではなく、画像を出力する際のレイアウト等の情報もプリント画像データとしてプリンタ等の画像出力装置、つまりプリント装置、に転送することにより、１枚プリント用紙に複数の画像をプリントしてプリント用紙を節約することなどが可能なシステムが示されている。
【０００４】
また、ディジタルカメラ等の撮影装置における画像データの記録は、一般に、カメラファイルシステムの規格である、いわゆるＤＣＦ（Design rule for Camera File system）規格およびカメラ画像データフォーマットの規格であるＥｘｉｆ（Exchangeable Image File format for digital still camera）規格に従って行なわれるが、Ｅｘｉｆ等に従って記録される画像データには、通常の場合、露出情報や日付情報等を含む各種撮影情報も含まれる。そこで、特許文献１および特許文献２に示されたようなシステムにおいて、画像データに含まれる撮影情報の一部、例えば日付情報等、を画像と共にプリントすることも行なわれつつある。
一方、従来の銀塩フィルムの日付写し込みと同様に、撮影記録時に日付情報を被写体像の画像に重畳して写し込み合成し、画像自体を日付情報が写し込まれた画像として画像データを生成することも検討されている。このようにすれば、プリント画像データの生成時に日付情報を含ませる処理が不要となり、プリント処理は容易になるが、日付情報が画像として画像自体に含まれるため、撮影画像のみを使用したい場合などに不具合を生じる。さらに、先に述べたように日付情報を写し込み合成していない画像データを、画像データに含まれる日付情報と共にプリントしようとする場合、画像中に日付情報が写し込み合成された画像データを誤って選択してしまうと、日付情報が二重にプリントされてしまうことになるおそれもある。
【０００５】
【特許文献１】特開平１１−４６３３１号公報
【特許文献２】特開２０００−５００５２号公報
【発明の開示】
【発明が解決しようとする課題】
【０００６】
本発明は、上述した事情に鑑みてなされたもので、画像自体への日付情報の合成写し込みの有無にかかわらず、所望に応じて日付情報を撮影画像と共にプリントすることを可能とし、簡単に操作することができる撮影装置および撮影プリントシステムを提供することを目的としている。
すなわち、本発明の請求項１の目的は、特に、所望に応じて画像自体に日付情報を写し込み合成することができて、しかも画像自体への日付情報の合成写し込みの有無にかかわらず、所望に応じて日付情報を撮影画像と共にプリントすることを可能とする撮影装置を提供することにある。
本発明の請求項２の目的は、特に、プリントを所望する複数の画像データについて、画像自体への日付情報の合成写し込みの有無にかかわらず、所望に応じて日付情報を撮影画像と共にプリントすることを可能とする撮影装置を提供することにある。
【０００７】
また、本発明の請求項３の目的は、特に、画像自体への日付情報の合成写し込みの有無にかかわらず、所望に応じて日付情報を撮影画像と共にプリントすることを可能とする撮影プリントシステムを提供することにある。
本発明の請求項４の目的は、特に、プリントを所望する複数の画像データについて、画像自体への日付情報の合成写し込みの有無にかかわらず、所望に応じて日付情報を撮影画像と共にプリントすることを可能とする撮影プリントシステムを提供することにある。
【課題を解決するための手段】
【０００８】
請求項１に記載した本発明に係る撮影装置は、上述した目的を達成するために、
被写体の光学像を取得し電気信号に変換して画像データを生成する撮像手段と、
前記撮像手段により撮像生成された１つ以上の前記画像データを記録する記録手段と、
前記記録手段に記録された前記画像データを表示する表示手段と、
現在の日付および時間を取得し日付情報を含む計時情報を生成する時計機能手段と、
前記撮像手段による撮像時に、前記記録手段に記録される被写体像の前記画像データに前記時計機能手段により生成された日付情報を合成して日付入り画像データとする日付写し込み手段と、
前記記録手段に記録された前記画像データから、プリント装置によりプリントさせるべきプリント画像データを選択するプリントデータ選択手段と、
前記プリントデータ選択手段により選択された前記プリント画像データの前記プリント装置へのデータ通信を行う通信手段と、
前記プリントデータ選択手段により選択されたプリント画像データが前記日付入り画像データであるか否かを判別する日付入り画像判別手段と、
前記日付入り画像判別手段によって、前記プリント画像データが、前記日付入り画像データであると判別された場合には、前記通信手段による当該画像データに係る通信データに日付情報を含ませない通信制御手段と
を具備することを特徴としている。
請求項２に記載した本発明に係る撮影装置は、請求項１の撮影装置であって、
前記プリントデータ選択手段が、前記記録手段に記録された複数の前記画像データから、複数のプリント画像データを選択する手段を含み、且つ
前記日付入り画像判別手段が、前記プリントデータ選択手段により選択された複数のプリント画像データについて個々に前記日付入り画像データであるか否かを判別する手段を含むことを特徴としている。
【０００９】
請求項３に記載した本発明に係る撮影プリントシステムは、上述した目的を達成するために、
被写体を撮像して生成される１つ以上の画像データを記録するとともに、時計機能により日付情報を含む計時情報を生成し、記録される前記画像データに所望に応じて前記日付情報を合成して日付入り画像データとする日付写し込み機能を有し、前記記録された画像データから、プリントを所望するプリント画像データを選択してプリント装置へのデータ通信を行う撮影装置であって、前記選択されたプリント画像データが前記日付入り画像データであるか否かを判別する日付入り画像判別手段および前記日付入り画像判別手段によって、前記プリント画像データが、前記日付入り画像データであると判別された場合には、前記データ通信に供される当該画像データに係る通信データに日付情報を含ませない通信制御手段を有する撮影装置と、
前記撮影装置から通信されるプリント画像データの通信データに日付情報が含まれている場合には当該画像に日付情報を合成してプリント画像データをプリントし、且つ前記プリント画像データの通信データに日付情報が含まれていない場合には当該プリント画像データをそのままプリントするプリント装置と
を具備することを特徴としている。
請求項４に記載した本発明に係る撮影プリントシステムは、請求項３の撮影プリントシステムであって、
前記撮影装置が、記録された複数の前記画像データから、複数のプリント画像データを選択するプリントデータ選択手段を含み、且つ
前記撮影装置の前記日付入り画像判別手段が、前記プリントデータ選択手段にて選択された複数のプリント画像データについて個々に前記日付入り画像データであるか否かを判別する手段を含むことを特徴としている。
【００１０】
〔作用〕
すなわち、本発明の請求項１による撮影装置は、被写体の光学像を取得し電気信号に変換して画像データを生成する撮像手段、前記撮像手段により撮像生成された１つ以上の前記画像データを記録する記録手段、前記記録手段に記録された前記画像データを表示する表示手段、現在の日付および時間を取得し日付情報を含む計時情報を生成する時計機能手段、前記撮像手段による撮像時に、前記記録手段に記録される被写体像の前記画像データに前記時計機能手段により生成された日付情報を合成して日付入り画像データとする日付写し込み手段、前記記録手段に記録された前記画像データから、プリント装置によりプリントさせるべきプリント画像データを選択するプリントデータ選択手段と、
前記プリントデータ選択手段により選択された前記プリント画像データの前記プリント装置へのデータ通信を行う通信手段、前記プリントデータ選択手段により選択されたプリント画像データが前記日付入り画像データであるか否かを判別する日付入り画像判別手段および前記日付入り画像判別手段によって、前記プリント画像データが、前記日付入り画像データであると判別された場合には、前記通信手段による当該画像データに係る通信データに日付情報を含ませない通信制御手段を具備する。
このような構成により、所望に応じて画像自体に日付情報を写し込み合成することができて、しかも画像自体への日付情報の合成写し込みの有無にかかわらず、所望に応じて日付情報を撮影画像と共にプリントすることができ、日付情報が二重にプリントされることもない。
【００１１】
本発明の請求項２による撮影装置は、請求項１の撮影装置であって、前記プリントデータ選択手段が、前記記録手段に記録された複数の前記画像データから、複数のプリント画像データを選択する手段を含み、且つ前記日付入り画像判別手段が、前記プリントデータ選択手段により選択された複数のプリント画像データについて個々に前記日付入り画像データであるか否かを判別する手段を含んでいる。
このような構成により、特に、プリントを所望する複数の画像データについて、画像自体への日付情報の合成写し込みの有無にかかわらず、所望に応じて日付情報を撮影画像と共にプリントすることができ、日付情報が二重にプリントされることもない。
【００１２】
また、本発明の請求項３による撮影プリントシステムは、被写体を撮像して生成される１つ以上の画像データを記録するとともに、時計機能により日付情報を含む計時情報を生成し、記録される前記画像データに所望に応じて前記日付情報を合成して日付入り画像データとする日付写し込み機能を有し、前記記録された画像データから、プリントを所望するプリント画像データを選択してプリント装置へのデータ通信を行う撮影装置であって、前記選択されたプリント画像データが前記日付入り画像データであるか否かを判別する日付入り画像判別手段および前記日付入り画像判別手段によって、前記プリント画像データが、前記日付入り画像データであると判別された場合には、前記データ通信に供される当該画像データに係る通信データに日付情報を含ませない通信制御手段を有する撮影装置と、前記撮影装置から通信されるプリント画像データの通信データに日付情報が含まれている場合には当該画像に日付情報を合成してプリント画像データをプリントし、且つ前記プリント画像データの通信データに日付情報が含まれていない場合には当該プリント画像データをそのままプリントするプリント装置とを具備する。
このような構成により、特に、画像自体への日付情報の合成写し込みの有無にかかわらず、所望に応じて日付情報を撮影画像と共にプリントすることができ、日付情報が二重にプリントされることもない。
【００１３】
本発明の請求項４による撮影プリントシステムは、請求項３の撮影プリントシステムであって、前記撮影装置が、記録された複数の前記画像データから、複数のプリント画像データを選択するプリントデータ選択手段を含み、且つ前記撮影装置の前記日付入り画像判別手段が、前記プリントデータ選択手段にて選択された複数のプリント画像データについて個々に前記日付入り画像データであるか否かを判別する手段を含んでいる。
このような構成により、特に、プリントを所望する複数の画像データについて、画像自体への日付情報の合成写し込みの有無にかかわらず、所望に応じて日付情報を撮影画像と共にプリントすることができ、日付情報が二重にプリントされることもない。
【発明の効果】
【００１４】
本発明によれば、画像自体への日付情報の合成写し込みの有無にかかわらず、所望に応じて日付情報を撮影画像と共にプリントすることを可能とし、簡単に操作することができて、しかも日付情報が二重にプリントされることもない撮影装置および撮影プリントシステムを提供することができる。
すなわち本発明の請求項１の撮影装置によれば、被写体の光学像を取得し電気信号に変換して画像データを生成する撮像手段、前記撮像手段により撮像生成された１つ以上の前記画像データを記録する記録手段、前記記録手段に記録された前記画像データを表示する表示手段、現在の日付および時間を取得し日付情報を含む計時情報を生成する時計機能手段、前記撮像手段による撮像時に、前記記録手段に記録される被写体像の前記画像データに前記時計機能手段により生成された日付情報を合成して日付入り画像データとする日付写し込み手段、前記記録手段に記録された前記画像データから、プリント装置によりプリントさせるべきプリント画像データを選択するプリントデータ選択手段、前記プリントデータ選択手段により選択された前記プリント画像データの前記プリント装置へのデータ通信を行う通信手段、前記プリントデータ選択手段により選択されたプリント画像データが前記日付入り画像データであるか否かを判別する日付入り画像判別手段および前記日付入り画像判別手段によって、前記プリント画像データが、前記日付入り画像データであると判別された場合には、前記通信手段による当該画像データに係る通信データに日付情報を含ませない通信制御手段を具備することにより、特に、所望に応じて画像自体に日付情報を写し込み合成することができて、しかも画像自体への日付情報の合成写し込みの有無にかかわらず、所望に応じて日付情報を撮影画像と共にプリントすることが可能となる。
【００１５】
本発明の請求項２の撮影装置によれば、請求項１の撮影装置において、前記プリントデータ選択手段が、前記記録手段に記録された複数の前記画像データから、複数のプリント画像データを選択する手段を含み、且つ前記日付入り画像判別手段が、前記プリントデータ選択手段により選択された複数のプリント画像データについて個々に前記日付入り画像データであるか否かを判別する手段を含むことにより、特に、プリントを所望する複数の画像データについて、画像自体への日付情報の合成写し込みの有無にかかわらず、所望に応じて日付情報を撮影画像と共にプリントすることが可能となる。
また、本発明の請求項３の撮影プリントシステムによれば、被写体を撮像して生成される１つ以上の画像データを記録するとともに、時計機能により日付情報を含む計時情報を生成し、記録される前記画像データに所望に応じて前記日付情報を合成して日付入り画像データとする日付写し込み機能を有し、前記記録された画像データから、プリントを所望するプリント画像データを選択してプリント装置へのデータ通信を行う撮影装置であって、前記選択されたプリント画像データが前記日付入り画像データであるか否かを判別する日付入り画像判別手段および前記日付入り画像判別手段によって、前記プリント画像データが、前記日付入り画像データであると判別された場合には、前記データ通信に供される当該画像データに係る通信データに日付情報を含ませない通信制御手段を有する撮影装置と、前記撮影装置から通信されるプリント画像データの通信データに日付情報が含まれている場合には当該画像に日付情報を合成してプリント画像データをプリントし、且つ前記プリント画像データの通信データに日付情報が含まれていない場合には当該プリント画像データをそのままプリントするプリント装置とを具備することにより、特に、画像自体への日付情報の合成写し込みの有無にかかわらず、所望に応じて日付情報を撮影画像と共にプリントすることが可能となる。
【００１６】
本発明の請求項４の撮影プリントシステムによれば、請求項３の撮影プリントシステムにおいて、前記撮影装置が、記録された複数の前記画像データから、複数のプリント画像データを選択するプリントデータ選択手段を含み、且つ前記撮影装置の前記日付入り画像判別手段が、前記プリントデータ選択手段にて選択された複数のプリント画像データについて個々に前記日付入り画像データであるか否かを判別する手段を含むことにより、特に、プリントを所望する複数の画像データについて、画像自体への日付情報の合成写し込みの有無にかかわらず、所望に応じて日付情報を撮影画像と共にプリントすることが可能となる。
【発明を実施するための最良の形態】
【００１７】
以下、本発明の実施の形態に基づき、図面を参照して本発明に係る撮影装置および撮影プリントシステムを詳細に説明する。
図１〜図３は、本発明の第１の実施の形態に係る撮影プリントシステムを概略的に説明するためのものである。図１は、撮影プリントシステムの全体的な構成を模式的に示すブロック図、図２は、図１に示す撮影装置の撮影記録時の動作を説明するためのフローチャート、そして図３は、図１に示す撮影装置の印刷時の動作を説明するためのフローチャートである。
図１に示す撮影プリントシステムは、ディジタルカメラ１およびプリンタ２を具備している。ディジタルカメラ１は、撮影プリントシステムにおける撮影装置を構成し、制御部１０、外部記憶装置２１、撮像部２２、表示部２３、操作部２４および通信インタフェース（通信Ｉ／Ｆ）２５を備えている。制御部１０は、ＣＰＵ（中央処理部）１１、ＲＯＭ（リードオンリメモリ）１２、ＲＡＭ（ランダムアクセスメモリ）１３、入出力ポート（Ｉ／Ｏポート）１４およびこれらを相互に接続するバスラインＢＬを有し、典型的には、いわゆるマイクロプロセッサにより構成されている。
【００１８】
ＣＰＵ１１は、ＲＯＭ１２に格納されたプログラムに従って動作し、入出力ポート１４を介して外部記憶装置２１、撮像部２２、表示部２３、操作部２４および通信インタフェース２５の各部との間で情報の授受を行ない、これら各部を制御する。ＲＡＭ１３は、ＣＰＵ１１の動作に伴って、制御情報、ならびに入出力ポート１４を介して外部記憶装置２１、撮像部２２、表示部２３、操作部２４および通信インタフェース２５との間で授受される情報等の一部または全部を、必要に応じて一時的に格納する。この制御部１０の制御には、後述するように、このディジタルカメラ１の撮影時の撮影動作およびプリンタ２によるプリント時のプリント動作の制御も含まれる。なお、この制御部１０は、クロックをカウントすることなどによるリアルタイムの時刻および日付情報を含む計時情報を生成する時計機能手段としての計時機能をも有している。
外部記憶装置２１は、フラッシュメモリを用いたメモリカード等の不揮発性記憶媒体を記録媒体とし、撮影された１つ以上の画像データ等の情報を記録媒体に記録する記録手段を構成する。この外部記憶装置２１に用いられる不揮発性記憶媒体としては、フラッシュメモリの他に、いわゆるＭＲＡＭ、ＦｅＲＡＭおよびＲＲＡＭ等の不揮発性メモリを用いても良く、小型および超小型のハードディスクやＣＤ−ＲＷ等のような書き換え可能な光ディスクを用いることもできる。この外部記憶装置２１に格納される画像データは、例えばＥｘｉｆ規格等に従って画像情報に加えて撮影時の日付情報等の撮影情報を含ませたデータとする。
【００１９】
撮像部２２は、被写体画像の入力部である撮像手段を構成する。すなわち、この撮像部２２は、被写体の光学像を結像させる撮影光学系、結像された被写体光学像を電気信号に変換するＣＣＤ（電荷結合素子）撮像素子およびアナログ電気信号をディジタルデータに変換するＡ／Ｄ変換器（アナログ−ディジタル変換器）等を有してなり、被写体の光学像を取得し電気信号に変換して画像データを生成する。表示部２３は、画像データを表示する表示手段を構成し、外部記憶装置２１に格納された画像データおよび必要に応じてその他の操作／動作情報等を表示する。操作部２４は、撮影を指示操作するレリーズボタンを含み、撮影モードや日付写し込み等の各種動作条件の設定情報、プリント画像の選択指示情報、ならびに選択画像のプリント指示情報等の各種の情報を操作入力するための各種ボタン、レバーおよびリング等を有する。この操作部２４は、ボタン、レバーおよびリング等の操作に応動するスイッチ、ポテンショメータ、エンコーダ等を含んでいる。通信インタフェース２５は、このディジタルカメラ１にプリンタ２との間のデータ通信のための通信路を結合するためのインタフェースであり、選択されたプリント画像データをデータ通信を行う通信手段を構成する。この通信インタフェース２５は、プリンタ２との間のデータ通信が可能であれば、どのようなインタフェースでも良く、典型的には、いわゆるＵＳＢインタフェース、ブルートゥースインタフェース、または赤外線インタフェース等の汎用インタフェースを含む。
【００２０】
なお、制御部１０は、入出力ポート１４を介しての外部記憶装置２１、撮像部２２、表示部２３、操作部２４および通信インタフェース２５等の各部の制御により、先に述べた時計機能手段に限らず、撮像部２２による撮像時に、外部記憶装置２１に格納される被写体像の画像データに前記時計機能手段により生成された日付情報を合成して日付入り画像データとする日付写し込み手段、外部記憶装置２１に格納された画像データから、プリンタ２によりプリントさせるべきプリント画像データを選択するためのプリントデータ選択手段、前記プリントデータ選択手段により選択されたプリント画像データが前記日付入り画像データであるか否かを判別する日付入り画像判別手段および前記日付入り画像判別手段によって、プリント画像データが日付入り画像データであると判別された場合には、通信インタフェース２５による当該画像データに係る通信データに日付情報を含ませない通信制御手段の各機能を実質的に含んでいる。
また、プリンタ２は、この撮影プリントシステムにおけるプリント装置を構成しており、与えられたプリント情報に従ってプリントを行なう。特に、このプリンタ２は、ディジタルカメラ１から通信されるプリント画像データの通信データに日付情報が含まれている場合には当該画像に日付情報を合成してプリント画像データをプリントし、且つ前記通信データに日付情報が含まれていない場合には当該プリント画像データをそのままプリントする機能を有している。
【００２１】
次に、図２に示す撮影時のフローチャートを参照して、撮影および画像データ格納時の動作を説明する。
操作部２４のシャッタレリーズボタンが押下されると（ステップＳ３０１）、撮像部２２にて撮像が行なわれ、生成された画像データを、ＲＡＭ１３等のメモリ上に取り込む（ステップＳ３０２）。ここでは、周知の事項の煩雑な説明により、本発明の主旨の的確な理解を妨げることを回避し、本発明の主旨を一層明確にするため、ディジタルカメラの技術における一般的な技術の詳細な説明は省略する。予め、操作部２４の適宜なる操作により、日付の写し込み合成の有／無が指定されているものとし、次に、日付の写し込み合成の有／無をチェックする（ステップＳ３０３）。日付の写し込み合成が有りと指示されている場合には、制御部１０において得られる撮像時の日付情報をメモリ上の画像データと合成して写し込みを行う（ステップＳ３０４）。このように日付情報が合成された画像の一例を図４に示す。
【００２２】
メモリ上の撮像画像データを、例えば、ＪＰＥＧ形式等の圧縮形式に従って圧縮して、Ｅｘｉｆ規格に従ったＥＸＩＦファイルを生成し、外部記憶装置２１に格納して撮影動作を終了し、待機状態に戻る（ステップＳ３０５）。この場合、ステップＳ３０４において、図５に示すように、ＥＸＩＦファイルのヘッダー部分、例えばメーカ固有の情報のためのメーカノート（Maker Note）等の部分、に、当該会社、例えばＡ社の情報として、日付入り画像フラグを有りに設定してＥＸＩＦファイルの生成を行う。なお、ステップＳ３０３において、日付の写し込み合成が無しと判別された場合には、そのまま、ステップＳ３０５に進み、前記日付入り画像フラグを無しに設定してＥｘｉｆファイルを生成する。なお、ＥＸＩＦファイルには、メーカノート以外に、ファイル更新（作成）日時や原画像作成日時等の情報を格納し得る個所があり、通常の場合、これらの日時の情報のいずれかは、撮影時に格納されるので、ステップＳ３０３において、日付の写し込み合成が無しと判別された場合にも、撮影日時情報はＥＸＩＦファイル中に格納される。
【００２３】
上述のようにして、１つ以上の画像データ、通常は、逐次繰り返し撮影して、複数の画像データ、が外部記憶装置２１に格納される。
続いて、図３に示すプリント時のフローチャートを参照して、画像データのプリント時の動作を説明する。この処理は、上述のようにして作成格納された画像データを選択的にプリンタ２に送信する処理である。
ディジタルカメラ１の通信インタフェース２５にプリンタ２が通信可能として接続された状態で、操作部２４の操作により、外部記憶装置２１に格納された撮影画像を表示部２３に表示させた状態では、複数の撮影画像が格納されている場合には、操作部２４の操作により逐次撮影画像を変更表示させることにより、個々の画像データを選択指定することができる。また、後述するように、複数の画像の、いわゆるサムネイル画像を同時表示させておいて所望の画像を選択指定することができる場合もある。
【００２４】
このようにして、所望の画像を選択指定した状態で、操作部２４の操作により、画像のプリントが要求されると（ステップＳ３０６）、日付プリントの指定が有るか無いかをチェックする（ステップＳ３０７）。この日付プリントの指定は、ＥＸＩＦファイル中のメーカノート以外の、ファイル更新日時や原画像作成日時等の情報、に基づいて日付プリントを行なうか否かを指定するものであり、画像のプリント時に、予め所望に応じて指定情報を設定しておいても良いし、この時点で操作部２４からの入力を待って指定するようにしても良い。ステップＳ３０７において、日付プリントの指定が有ると判別された場合には、プリントする画像のＥＸＩＦファイルのヘッダーをチェックする。すなわち、図２のステップＳ３０５で設定された日付入り画像フラグを読み込んで、フラグの有／無を判別する（ステップＳ３０８）。ステップＳ３０８で、日付入り画像フラグが無しと判別された場合には、プリンタ２に対するプリント要求コマンドに日付プリント要求を付加してプリント要求コマンドを編集して（ステップＳ３０９）、プリント要求をプリンタ２に送信する（ステップＳ３１０）。この日付プリント要求は、単にプリント要求コマンドに日付データが含まれるか否かで行ない、プリント要求コマンドに日付データが含まれる場合には日付プリント要求有りとし、プリント要求コマンドに日付データが含まれない場合には日付プリント要求無しとする。
【００２５】
すなわち、図６にＸＭＬで記述したプリント要求コマンドの一例を示すように、日付プリント要求が有る場合には図示の通り、コマンド中に日付データの行
＜ｄａｔｅ＞２００２／１０／２８＜／ｄａｔｅ＞
が含まれ、この行が含まれなければ日付プリント要求は無しとする。また、ステップＳ３０７において、日付プリントの指定が無いと判別された場合、またはステップＳ３０８で、日付入り画像フラグが有ると判別された場合には、プリンタ２に対して、日付プリントを要求しないので、日付プリント要求を付加せずに、ステップＳ３１０に移行して、プリント要求をプリンタ２に送信する。ステップＳ３１０においては、プリント要求の送信後にプリントすべき画像データをプリンタ２に送信して、プリント処理を終了する。
【００２６】
このとき、プリントしようとする画像データが、日付入り画像フラグが有効となっている日付入り画像である場合には、ステップＳ３０７における日付プリントの指定があっても、ＥＸＩＦファイル中のファイル更新日時や原画像作成日時等の情報に基づいて、日付プリント要求を付加することはない。また、プリントしようとする画像データが、日付入り画像フラグが有効となっている日付入り画像でない場合には、ステップＳ３０７における日付プリントの指定があれば、ＥＸＩＦファイル中のファイル更新日時や原画像作成日時等の情報に基づいて、日付プリント要求を付加し、ステップＳ３０７における日付プリントの指定が無ければ、日付プリント要求を付加することはない。
そして、プリンタ２においては、単に受信したプリント要求コマンドに日付データが含まれるか否かで、ＥＸＩＦファイル中のファイル更新日時や原画像作成日時等の情報に基づく日付プリントを行なうか否かを決定し、プリント要求コマンドに日付データが含まれる場合にはＥＸＩＦファイル中のファイル更新日時や原画像作成日時等の情報に基づく日付情報のプリントを行ない、プリント要求コマンドに日付データが含まれない場合には日付情報を付加せずに画像データをそのままプリントする。
【００２７】
したがって、プリントしようとする画像データが、日付入り画像フラグが有効となっている日付入り画像である場合には、ステップＳ３０７における日付プリントの指定があっても、日付情報の付加プリントを行なうことはなく、図４のように画像中に日付情報が合成された画像がプリントされる。すなわち、日付情報が二重プリントされることはない。また、ステップＳ３０７における日付プリントの指定があって、プリントしようとする画像データの日付入り画像フラグが有効となっていない場合には、日付情報を付加して画像のプリントを行なう。一方、ステップＳ３０７における日付プリントの指定が無ければ、日付情報の付加プリントは行なわないが、ステップＳ３０７における日付プリントの指定が無くても、プリントしようとする画像データが、日付入り画像である場合には、図４のように画像中に日付情報が合成されてしまっているので、画像から日付を除去することはできず、日付情報が合成された画像がプリントされる。
【００２８】
次に、本発明の第２の実施の形態に係る撮影プリントシステムを説明する。図７は、本発明の第２の実施の形態に係る撮影プリントシステムの動作を説明するためのフローチャートである。この場合、撮影プリントシステムの全体的な構成は、図１にブロック図を示した第１の実施の形態と同様で良く、また、撮影装置の撮影記録時の動作も図２にフローチャートを示した第１の実施の形態の場合と同様でよく、撮影装置の印刷時の動作のみが、図７にフローチャートを示す通り、図３とは相違する。
図７に示す本発明の第２の実施の形態に係る撮影プリントシステムにおけるプリント時のフローチャートを参照して、画像データのプリント時の動作を説明する。この処理は、図２のフローチャートのような動作を、逐次繰り返して撮影して作成格納された複数の画像データを選択的にプリンタ２に送信する処理である。
ディジタルカメラ１の通信インタフェース２５にプリンタ２が通信可能として接続された状態で、操作部２４の操作により、外部記憶装置２１に格納された複数の撮影画像を、例えば図８に示すように、複数の画像の縮小画像、いわゆるサムネイル画像、を表示部２３に同時表示させた状態で、個々の画像を、周囲の枠部の異色表示等によって指定した状態で選択指示し、指定画像を逐次変更しつつそれを繰り返すことによって、複数の撮影画像からプリントを所望する複数の画像を選択指定することができる。図８では、選択指定された画像には、プリンタのアイコンが付されている。
【００２９】
このようにして、所望の複数の画像を選択指定した状態で、操作部２４の操作により、画像のプリントが要求されると（ステップＳ４０１）、選択指定された複数の画像のうちの１つについて、日付プリントの指定が有るか無いかをチェックする（ステップＳ４０２）。この日付プリントの指定は、第１の実施の形態の場合と同様に、ＥＸＩＦファイル中の、ファイル更新日時や原画像作成日時等の情報のようなメーカノート以外の情報に基づいて日付プリントを行なうか否かを指定するものであり、画像のプリント時に、予め一括して所望に応じて指定情報を設定しておいても良いし、この時点で個々に操作部２４からの入力を待って指定するようにしても良い。ステップＳ４０２において、日付プリントの指定が有ると判別された場合には、プリントする画像のＥＸＩＦファイルのヘッダーをチェックする。すなわち、図２のステップＳ３０５で設定された日付入り画像フラグを読み込んで、フラグの有／無を判別する（ステップＳ４０３）。ステップＳ４０３で、日付入り画像フラグが無しと判別された場合には、プリンタ２に対するプリント要求コマンドに日付プリント要求を付加してプリント要求コマンドを編集する（ステップＳ４０４）。この日付プリント要求は、上述したように、単にプリント要求コマンドに日付データが含まれるか否かで行ない、プリント要求コマンドに日付データが含まれる場合には日付プリント要求有りとし、プリント要求コマンドに日付データが含まれない場合には日付プリント要求無しとする。
【００３０】
そして、ステップＳ４０４でプリント要求コマンドの編集を行なった後は、全ての選択画像についてプリント要求コマンドの編集が終了したか否かを判別し（ステップＳ４０５）、終了していない場合には、ステップＳ４０２に戻って、選択指定された複数の画像のうちの他の１つについて、上述の処理を繰り返す。また、ステップＳ４０２において、日付プリントの指定が無いと判別された場合、またはステップＳ４０３で、日付入り画像フラグが有ると判別された場合には、プリンタ２に対して、日付プリントを要求しないので、日付プリント要求を付加せずに、ステップＳ４０５に移行して、全ての選択画像についてプリント要求コマンドの編集が終了したか否かを判別し、終了していない場合には、上述と同様に、ステップＳ４０２に戻って、選択指定された複数の画像のうちのさらに他の１つについて、上述の処理を繰り返す。
ステップＳ４０５において、全ての選択画像についてプリント要求コマンドの編集が終了したと判別された場合には、ステップＳ４０６に移行して、編集されたプリント要求をプリンタ２に送信する。ステップＳ４０６においては、プリント要求の送信後にプリントすべき画像データをプリンタ２に送信して、プリント処理を終了する。
【００３１】
このときも、プリントしようとする画像データが、日付入り画像フラグが有効となっている日付入り画像である場合には、ステップＳ４０２における日付プリントの指定があっても、ＥＸＩＦファイル中のファイル更新日時や原画像作成日時等の情報に基づいて、日付プリント要求を付加することはない。また、プリントしようとする画像データが、日付入り画像フラグが有効となっている日付入り画像でない場合には、ステップＳ４０２における日付プリントの指定があれば、ＥＸＩＦファイル中のファイル更新日時や原画像作成日時等の情報に基づいて、日付プリント要求を付加し、ステップＳ４０２における日付プリントの指定が無ければ、日付プリント要求を付加することはない。
そして、プリンタ２においては、単に受信したプリント要求コマンドに日付データが含まれるか否かで、ＥＸＩＦファイル中のファイル更新日時や原画像作成日時等の情報に基づく日付プリントを行なうか否かを決定し、プリント要求コマンドに日付データが含まれる場合にはＥＸＩＦファイル中のファイル更新日時や原画像作成日時等の情報に基づく日付情報のプリントを行ない、プリント要求コマンドに日付データが含まれない場合には日付情報を付加せずに画像データをそのままプリントする。
【００３２】
したがって、プリントしようとする画像データが、日付入り画像フラグが有効となっている日付入り画像である場合には、ステップＳ４０２における日付プリントの指定があっても、日付情報の付加プリントを行なうことはなく、図４のように画像中に日付情報が合成された画像がプリントされる。すなわち、日付情報が二重プリントされることはない。また、ステップＳ４０２における日付プリントの指定があって、プリントしようとする画像データの日付入り画像フラグが有効となっていない場合には、日付情報を付加して画像のプリントを行なう。一方、ステップＳ４０２における日付プリントの指定が無ければ、日付情報の付加プリントは行なわないが、ステップＳ４０２における日付プリントの指定が無くても、プリントしようとする画像データが、日付入り画像である場合には、図４のように画像中に日付情報が合成されてしまっているので、画像から日付を除去することはできず、日付情報が合成された画像がプリントされる。
【図面の簡単な説明】
【００３３】
【図１】本発明の第１の実施の形態に係る撮影プリントシステムの要部の構成を模式的に示すブロック図である。
【図２】図１のディジタルカメラの撮影時の動作を説明するためのフローチャートである。
【図３】図１のディジタルカメラのプリント時の動作を説明するためのフローチャートである。
【図４】図１のディジタルカメラにより撮影される日付写し込み合成による日付写し込みが行なわれた画像の一例を示す図である。
【図５】図１のディジタルカメラにより撮影記録される画像データファイルの基本構造の一例を示す図である。
【図６】図１のディジタルカメラにより撮影された画像データのプリント時のプリント要求コマンドの要部の一例を示す図である。
【図７】本発明の第２の実施の形態に係る撮影プリントシステムにおけるディジタルカメラのプリント時の動作を説明するためのフローチャートである。
【図８】図７のディジタルカメラによるプリント画像選択時における画像データのサムネイル画像による一覧表示の一例を示す図である。
【符号の説明】
【００３４】
１  ディジタルカメラ
２  プリンタ
１０  制御部
１１  ＣＰＵ（中央処理部）
１２  ＲＯＭ（リードオンリメモリ）
１３  ＲＡＭ（ランダムアクセスメモリ）
１４  入出力ポート（Ｉ／Ｏポート）
２１  外部記憶装置
２２  撮像部
２３  表示部
２４  操作部
２５  通信インタフェース（通信Ｉ／Ｆ）
ＢＬ  バスライン
【図１】
2005151521.tif 000003
【図２】
2005151521.tif 000004
【図３】
2005151521.tif 000005
【図５】
2005151521.tif 000006
【図６】
2005151521.tif 000007
【図７】
2005151521.tif 000008
【図４】
2005151521.tif 000009
【図８】
2005151521.tif 000010